(57)【要約】【課題】  表示装置と操作部とを有する撮像装置にて、周囲光強度に基づく表示装置のバックライト自動輝度自動制御を実施する場合、使用者が機器の操作部を操作する際にその手によって照度センサーへの光入力が妨げられてしまい、表示装置の輝度が不適正になってしまう。【解決手段】  照度センサー出力をＡ／Ｄすると同時に照度センサー近傍のボタンが操作されているか判定し、ボタンが操作されていた場合は、バックライトの輝度を変更しないステップを有する。【選択図】  図５
2011007939.tif 000002
【特許請求の範囲】
【請求項１】
表示の明るさを変更可能な表示手段と、
前記表示手段の周囲の明るさを測定する測光手段と、を有する表示装置であって、
前記測光手段の出力に基づいて前記表示の明るさを制御する制御手段と、
操作者の接触操作によって前記表示装置に指示を与える指示手段とを有し、
前記制御手段は、前記指示手段が前記操作者から接触操作されている期間は、前記接触操作がなされていない期間に比べて、前記測光手段の出力を前記表示手段の明るさの制御に反映させる度合いを低減することを特徴とする表示装置。
【請求項２】
前記制御手段は、前記指示手段が前記操作者から接触操作されている期間であっても、前記測光手段の出力から得られる前記表示手段の周囲の明るさが前記期間より前の出力から得られる前記表示手段の周囲の明るさよりも明るい場合、前記測光手段の出力を前記表示手段の明るさの制御に反映させる度合いを低減しないことを特徴とする請求項１に記載の表示装置。
【請求項３】
前記制御手段は、前記指示手段が前記操作者から接触操作されているか否かを、前記指示手段からの前記表示装置への指示信号によって判別することを特徴とする請求項１または２に記載の表示装置。
【請求項４】
前記指示手段が前記表示手段の近傍に配置されている場合、前記制御手段は、前記指示手段が前記操作者から接触操作されている期間は、前記接触操作がなされていない期間に比べて、前記測光手段の出力を前記表示手段の明るさの制御に反映させる度合いを低減し、前記指示手段が前記表示手段の近傍に配置されていない場合、前記制御手段は、前記指示手段が前記操作者から接触操作されている期間は、前記接触操作がなされていない期間に比べて、前記測光手段の出力を前記表示手段の明るさの制御に反映させる度合いを低減しないことを特徴とする請求項１乃至３のいずれか１つに記載の表示装置。
【請求項５】
前記指示手段は、前記表示手段の表示画面上に形成されるタッチパネルであることを特徴とする請求項１乃至３のいずれか１つに記載の表示装置。
【請求項６】
表示の明るさを変更可能な表示手段と、
操作者の接触操作によって前記表示装置に指示を与える指示手段とを有する表示装置の制御方法であって、
前記表示手段の周囲の明るさを測定する測光ステップと、
前記測光ステップで得られた出力に基づいて前記表示装置の明るさを制御する制御ステップを有し、
前記制御ステップでは、前記指示手段が前記操作者から接触操作されている期間は、前記接触操作がなされていない期間に比べて、前記測光ステップで得られた出力を前記表示手段の明るさの制御に反映させる度合いを低減することを特徴とする表示装置の制御方法。
【請求項７】
請求項６に記載の表示装置の制御方法の手順が記述されたコンピュータで実行可能なプログラム。
【請求項８】
請求項６に記載の表示装置の制御方法の手順が記述されたプログラムが記憶されたコンピュータが読み取り可能な記憶媒体。
【発明の詳細な説明】
【技術分野】
【０００１】
本発明は、表示装置の表示の明るさを周囲の明るさに応じて自動で制御する技術に関するものである。
【背景技術】
【０００２】
表示装置を有する光学機器において、表示装置の周囲の明るさを測定し、測定結果に基づいて表示装置のバックライトの輝度を自動制御するという技術が知られている。
【０００３】
例えば、特許文献１に記載の表示装置の制御方法の様に、表示装置近傍の照度を測光手段である照度センサーで測定し、その結果に基づいて表示装置の輝度を自動で最適化することで、視認性の向上の効果が得られる。
【先行技術文献】
【特許文献】
【０００４】
【特許文献１】特開平４−１６７６７９号公報
【発明の概要】
【発明が解決しようとする課題】
【０００５】
しかしながら、上記の自動輝度制御技術を操作指示手段と表示装置を有する小型機器にて実施する際は、使用者が機器の操作をするとその手の影によって照度センサーへの光入力が妨げられ、表示装置の輝度が不適正になってしまうという問題がある。
【０００６】
近年では、機器が小型化する一方で表示装置は視認性向上の為大型化しており、操作指示手段と照度センサーを近傍に配置せざるを得ない場合があり、機構以外の方法での解決が必要となっている。
【０００７】
本発明では、周囲光の測光手段が操作指示手段の近傍に配置されるような場合においても、近傍のＳＷ操作が表示装置の自動輝度制御に与える影響を低減した技術を提供することを目的とする。
【課題を解決するための手段】
【０００８】
上記課題を解決する為に、本発明の請求項１にかかる表示装置は、表示の明るさを変更可能な表示手段と、前記表示手段の周囲の明るさを測定する測光手段と、を有する表示装置であって、
前記測光手段の出力に基づいて前記表示の明るさを制御する制御手段と、操作者の接触操作によって前記表示装置に指示を与える指示手段とを有し、前記制御手段は、前記指示手段が前記操作者から接触操作されている期間は、前記測光手段の出力を前記表示手段の明るさの制御に反映させる度合いを低減することを特徴とする。
【０００９】
また、本発明の請求項６にかかる表示装置の制御方法は、表示の明るさを変更可能な表示手段と、操作者の接触操作によって前記表示装置に指示を与える指示手段とを有する表示装置の制御方法であって、前記表示手段の周囲の明るさを測定する測光ステップと、前記測光ステップで得られた出力に基づいて前記表示装置の明るさを制御する制御ステップを有し、前記制御ステップでは、前記指示手段が前記操作者から接触操作されている期間は、前記測光ステップで得られた出力を前記表示手段の明るさの制御に反映させる度合いを低減することを特徴とする。
【発明の効果】
【００１０】
表示装置の周囲の明るさを測定する測光手段が、ユーザーが指示手段を操作する際に測光手段に手の影が係ってしまうような場合においても、指示手段への操作の影響が表示装置の自動輝度制御に与える影響を低減した表示装置の自動輝度制御を行うことができる。
【図面の簡単な説明】
【００１１】
【図１】第１の実施形態のカメラの断面図と背面図
【図２】第１の実施形態のカメラのブロック図
【図３】第１の実施形態の制御テーブル
【図４】第１の実施形態の制御テーブル
【図５】第１の実施形態の制御シーケンスを表すフローチャート
【図６】第１の実施形態の制御結果の例を示すタイムチャート図
【図７】第２の実施形態の制御シーケンスを表すフローチャート
【発明を実施するための形態】
【００１２】
（第１の実施形態）
図１は、本実施形態を利用可能な表示装置の一例であるカメラの断面図および背面図である。１０１はカメラ本体、１０２はマウント機構であり、不図示の撮影レンズ（内部に絞りと結像光学系を有して取り外し可能）は、このマウント機構１０２を介してカメラ１０１本体に電気的及び機械的に接続される。
【００１３】
不図示の撮影レンズ内の結像光学系から固体撮像素子１３１に至る光路Ｌ１中には、固体撮像素子１３１上に、光学フィルタ１３５が設けられている。これにより、物体像の必要以上に高い空間周波数成分や赤外光は固体撮像素子に伝達されない。が形成されている。固体撮像素子１３１で捉えられた物体像は、プリント基板１４１に実装される演算処理回路２０３によって画像データに変換され、表示部１４２（表示手段）に表示される。この表示部１４２は、このカメラ１０１の背面に取り付けられている。
【００１４】
ハーフミラー１２１は、結像光学系からの光路Ｌ１を分割して光学ファインダに供給するための可動型のミラーである。フォーカシングスクリーン１１１は、物体像の予定結像面に配置されている。１１２はペンタプリズムである。レンズ１１３は、撮影時、ユーザが光学ファインダ像を観察するためのレンズであり、実際には複数のレンズで構成されている。フォーカシングスクリーン１１１、ペンタプリズム１１２、レンズ１１３、ファインダ１１４はファインダ光学系を構成している。ハーフミラー１２１の背後には可動型のサブミラー１２２が設けられており、ハーフミラー１２１を透過した光束の内、光路Ｌ１の光軸に近い光束を焦点検出部１２３に偏向している。サブミラー１２２は、ハーフミラー１２１の保持部材（不図示）に設けられた回転軸を中心に回転し、ハーフミラー１２１の動きに連動して移動する。尚、この焦点検出部１２３は、位相差検出方式により焦点検出を行う。
【００１５】
フォーカルプレンシャッタ１２４は先幕と後幕それぞれ複数枚の薄膜遮光素材によって構成され、これらを開閉動作させることにより固体撮像素子１３１への露光量を制御する。
【００１６】
１２５は測光部であり、光電変換素子によって構成される。マウント側からの入射光の一部がハーフミラー１２１によって分離されて測光部に入射しており、測光部の出力から固体撮像素子１３１表面の輝度を間接的に知覚することができる。
【００１７】
１４１は電子回路基板を示す。電子回路基板の詳細の回路構成については、図２のブロック図を用いて後述する。１４２は表示部を示す。表示部１４２は液晶表示装置であり、液晶パネル部１４２ａ、バックライト１４２ｂによって構成され、制御回路２０２および２０３によって表示の明るさ、すなわちバックライトの輝度が変更可能である。液晶パネル部１４２ａに表示される内容には、撮像装置の設定を選択するメニュー画面や撮影した画像の再生画面などがある。レリーズボタン１５１はボタンの押下げ位置により、撮影準備状態（ＳＷ１）と撮影開始（ＳＷ２）の２つの状態をもつ。操作部１５２（指示手段）は、複数のボタンによって構成され、操作者の接触操作によって表示装置に指示信号を送り、操作の指示を与えることができる。また複数のボタンはそれぞれ異なる機能を持つ。例えば、液晶表示装置のＯＮ／ＯＦＦの制御ボタン、メニュー画面での機能選択ボタン、画像再生画面で機能選択ボタンおよび画像選択ボタン等がある。本実施形態では、３つのボタンがある場合を想定し、それぞれＢｕｔｔｏｎＡ（１５２ａ）、ＢｕｔｔｏｎＢ（１５２ｂ）、ＢｕｔｔｏｎＣ（１５２ｃ）と呼称する。また本実施形態では、３つのボタンの内、ＢｕｔｔｏｎＢ（１５２ｂ）が照度センサー１６１の近傍に配置されているものとし、後述する輝度制御に影響を及ぼすボタンであるとする。操作部１５３は、１５２以外の操作部であり、ダイアル、十字ボタン等である。機能は１５２と同様、メニュー画面での機能選択や画像再生画面で機能選択および画像選択に使用する。
【００１８】
本実施形態では撮像装置に指示を与える指示手段（操作部）の中で測光手段（照度センサー１６１）に係り表示画面の輝度制御に影響を及ぼすボタンとしてＢｕｔｔｏｎＢ（１５２ｂ）を示した。しかしこの構成に限らず、例えば照度センサー１６１と同じ面内にある操作部１５２、１５３のうちの他のボタンあるいは全てのボタンを対象としてもよい。また液晶パネル部１４２ａでタッチパネル式の操作が可能である場合などは、液晶パネル部１４２ａの表示画面上に指示手段が形成され、それらの操作を対象として輝度制御を行うこともできる。このように、ユーザーの指示手段への操作によって測光手段に手の影などの影響を及ぼす可能性のあるものには全て本発明は適用できる。もちろん、測光手段（照度センサー１６１）の設置位置についても、本実施形態の構成に限らず、表示手段（表示部１４２）の周囲の明るさを測定できる位置であればどこでもよい。
【００１９】
図２は、本実施形態のカメラのブロック図である。図２において、１４１はプリント基板で、カメラの動作を主として制御する制御回路２０２（制御手段）が搭載されている。また、固体撮像素子１３１に蓄積された電気信号から画像データを生成したり、撮影した画像を表示部１４２に表示するための信号処理をしたりする演算処理回路２０３と、生成された画像データを一時的に保存する記憶回路２０４が搭載されている。
【００２０】
２１１はシャッター及びミラーの駆動回路で、固体撮像素子１３１を適正に露光させる為にシャッター１２４の開閉制御や、ハーフミラー１２１およびサブミラー１２２のアップ／ダウンの制御を行う。２１２はスイッチ回路で、カメラを撮影準備状態とするスイッチ、撮影動作を開始するスイッチ、撮影条件を選択する為のスイッチ等がある。２１３は操作検出回路で、図１の１５２、１５３で示したカメラ内に設けられたダイアルを含む多数の操作部材の信号を制御回路２０２に伝達する。本実施形態では２１２、２１３を併せて指示手段２１４とする。２２１は電池２２２の電圧をカメラを構成する各回路ユニットが必要とする電圧に変換して供給する電源回路である。１６１は図１に示した周囲光の明るさ測光用照度センサーである。
【００２１】
図３は、後述する第１の実施形態の制御シーケンス（図５）のＳ５０５において使用する、照度センサー出力と表示部１４２のバックライト輝度制御値との対応を示すテーブルである。ここでは、照度センサー出力のアナログ信号をデジタル信号に変換（以下、Ａ／Ｄと呼ぶ）した結果を「Ｅｖ」、バックライト輝度制御値を「Ｌｖ」という代数で示している。テーブルの第一列は照度センサー出力を示し、第二列はで選択されるバックライト輝度制御値を示す。Ｓ５０５での制御では、各行毎の組合せで制御を行なう。例えば、照度センサー出力がＥｖ＿２以上Ｅｖ＿３未満である場合は、バックライト輝度制御値はＬｖ＿３となる。本テーブルの設定は、周囲光が変化したときの照度センサーの出力と、それぞれの明るさで視認性が最適になるバックライト輝度値とを評価して予め設定されるものである。
【００２２】
図４は、後述する本実施形態の制御シーケンス（図５）のＳ５０７において使用する、各操作部材と表示部１４２のバックライト自動輝度制御の実施・非実施の対応を示すテーブルである。テーブルの第一列は撮像装置の各操作部材を示し、第二列はバックライト制御値変更を実施するか否かの判定を示す。Ｓ５０７での制御では、各行毎の組合せで制御を行なう。例えば、センサの近傍にあるＢｕｔｔｏｎＢ（１５２ｂ）が操作されていると判断すると、表示部１４２のバックライト自動輝度制御を実施しない。本テーブルのこの判定は、撮像装置の各操作部材と照度センサーとの位置関係をもとに、操作されているときに照度センサーへの光入力が妨げられる可能性が高いかどうかで予め設定する。
【００２３】
図５は、本実施形態の制御シーケンスである。なお、以下の処理は、カメラ本体１０１の制御回路２０２および２０３により実施される。
【００２４】
Ｓ５０１において、図１の１５２に示すメニュー表示ボタンまたは画像再生ボタンが押下げられると、制御回路２０２および２０３は表示部１４２の表示を開始するとともに、表示部１４２のバックライト自動輝度制御シーケンスを開始する。Ｓ５０２において、制御回路２０２および２０３は、表示部１４２のバックライト輝度制御値を初期値に設定した後に、Ｓ５０３において、バックライトを点灯する。バックライト輝度制御値の初期値は、表３に記載のバックライト制御値の中から事前の検討により決定されるもので、ここでは、Ｌｖ＿３を初期値とする。表示部１４２のバックライトを点灯した後で、Ｓ５０４において、制御回路２０２は、照度センサーの出力をＡ／Ｄし、記憶装置２０４にその値（Ｅｖ値）を保存する。次に、Ｓ５０５において、制御回路２０２は、図３に記載のテーブルから、Ａ／Ｄした値を基に表示部１４２のバックライト輝度制御値を選択する。
【００２５】
Ｓ５０６において、制御回路２０２は、Ｓ５０４で照度センサー出力をＡ／Ｄした直後に、操作部１５２の各ボタンが操作されているかを判断する。Ｓ５０７において、制御回路２０２および２０３は、Ｓ５０６でのボタン操作フラグ値チェック結果と図４に記載のテーブルを基に、Ｓ５０５で選択したバックライト輝度制御値を表示部１４２のバックライト輝度制御に反映させるかを判定する。図４のボタン１５２ｂの操作フラグが１である場合は、照度センサーの出力Ａ／Ｄ時に照度センサー近傍のボタン１５２ｂが操作されており、照度センサー出力に操作中の手の影の影響がある可能性が高いと判断して、バックライト輝度変更を実施しない。この後、Ｓ５０９において、所定の期間待機した上で、Ｓ５１０の繰り返し判定に移行する。Ｓ５０７にて、図４のボタン１５２ｂの操作フラグが０である場合は、Ｓ５０８において、表示部１４２のバックライト輝度制御値を、Ｓ５０５で選択した制御値に変更する。この後、Ｓ５０９において、所定の期間待機した上で、Ｓ５１０の繰り返し判定に移行する。Ｓ５１０では、液晶表示点灯が維持されているかを判定する。液晶表示点灯が維持されている場合は、Ｓ５０４からのバックライト自動輝度制御シーケンスに戻る。以降、所定の間隔で測光とバックライト輝度変更を繰り返す。液晶表示の消灯が選択された時は、制御回路２０２および２０３は、表示部１４２の表示を終了し、同時に表示部１４２の自動輝度制御シーケンスも終了する。
【００２６】
図６は、図５に記載の制御シーケンスを実施した際の、制御結果の一例を示すタイミングチャートであり、操作部の操作状態と表示部１４２のバックライト自動輝度制御との対応についての２つのケースを示している。横軸はいずれも時間を示し、縦軸はメニュー表示ｏｒ画像再生ボタン、操作ボタン、照度センサーＡ／Ｄタイミング、照度センサー出力Ａ／Ｄ値が電圧、周囲の明るさ、液晶表示装置バックライト輝度が輝度である。
【００２７】
ＣＡＳＥ１は、照度センサー１６１の出力を基にしたバックライト自動輝度制御の典型的な例を示している。周囲の明るさが変化すると（Ｔ６１１）、照度センサー１６１の出力Ａ／Ｄ値も変化し（Ｔ６１２）、図３の表を元にして表示部１４２のバックライト輝度を変更している（Ｔ６１３）。
【００２８】
ＣＡＳＥ２では、表示部１４２の表示中に操作ボタンが操作された（Ｔ６２１）ことで照度センサーの出力Ａ／Ｄ値が変化しているが（Ｔ６２２）、Ｓ５０７での判定によりこのときはバックライトの自動輝度制御は実施されない（Ｔ６２３）。
【００２９】
図１〜５に記載の制御方法を実施することで、照度検出手段が操作手段の近傍に配置されるような場合においても、周囲光の変化を見ながらかつ使用者の手の影による表示画面のちらつきを防止した表示部１４２の自動輝度制御を行うことができる。
【００３０】
（第２の実施形態）
本実施形態は、撮像装置の構成については第１の実施形態と同じであり、図１および２で説明したものと同じである。バックライト自動輝度制御シーケンスは、照度センサー出力に応じてバックライト輝度を自動で変更する点は同じであるが、照度センサー出力に操作中の手の影の影響があるかを判定するステップに違いがある。
【００３１】
図７は、本発明に係る第２の実施形態の制御シーケンスである。なお、以下の処理は、撮像装置１０１の制御回路２０２により実施される。
【００３２】
Ｓ７０１において、撮像装置が起動すると同時に、バックライト自動輝度制御シーケンスを開始し、Ｓ７０２において、照度センサーの出力をＡ／Ｄして記憶装置にその値（Ｅｖ値）を保存する。ここでのＥｖ値をＥｖ＿ａとする。Ｓ７０３では、メニュー表示または画像再生が選択される、すなわち、図１の１５２に示すメニュー表示ボタンまたは画像再生ボタンが押下げられたかどうかを判別している。つまり、制御回路２０２および２０３が表示装置の表示を開始するまで、Ｓ７０２、Ｓ７０３を一定の周期で繰り返す。この間、Ｅｖ＿ａはＡ／Ｄする度に更新される。図１の１５２に示すメニュー表示ボタン、または画像再生ボタンが押下げられると、Ｓ７０４では、制御回路２０２および２０３は、Ｅｖ＿ａと図３に示すテーブルを基に決定されるバックライト輝度制御値にてバックライトを点灯する。
【００３３】
表示部１４２のバックライトを点灯した後で、Ｓ７０５において、制御回路２０２は、照度センサーの出力をＡ／Ｄし、記憶装置にその値（Ｅｖ値）を保存する。ここでのＥｖ値はＥｖ＿ｂとし、Ｓ７０２のＥｖ＿ａとは別の値として保存する。以降、バックライトの自動輝度制御を実施するか否かの判定ステップとなる。
【００３４】
先ず、Ｓ７０６において、制御回路２０２は、Ｓ７０３およびＳ７０５での照度センサー出力Ｅｖ＿ａとＥｖ＿ｂの大小を比較する。Ｅｖ＿ｂ＞Ｅｖ＿ａとなるときは、Ｓ７０９において、Ｅｖ＿ｂと図３に記載のテーブルから表示部１４２のバックライト輝度制御値を選択する。これは、操作中の手の影による影響は照度センサー出力を低くする方向に働くものであり、Ｅｖ＿ｂ＞Ｅｖ＿ａとなるときはＥｖ＿ｂはボタン操作中であっても手の影の影響を受けていないと考えられる為である。Ｅｖ＿ｂ＞Ｅｖ＿ａとなるときは、Ｓ７０７において、操作部１５２の各ボタンの操作フラグをチェックする。。
【００３５】
Ｓ７０７において、ＢｕｔｔｏｎＢ（１５２ｂ）の操作フラグが１である場合は、Ｅｖ＿ａ＞Ｅｖ＿ｂであるのは操作中の手の影の影響によると判断する。そして、Ｓ７０９において、Ｅｖ＿ａと図３に記載のテーブルから表示部１４２のバックライト輝度設定値を選択する。Ｓ７０７において、ＢｕｔｔｏｎＢ（１５２ｂ）の操作フラグが０である場合は、Ｅｖ＿ａ＞Ｅｖ＿ｂなのは周囲の明るさが低下した為であると判断して、Ｓ７０８において、Ｅｖ＿ｂと図３に記載のテーブルから表示部１４２のバックライト輝度制御値を選択する。
【００３６】
Ｓ７１０では、Ｓ７０８またはＳ７０９で選択したバックライト輝度制御値に変更する。この後、Ｓ７１１において、制御回路２０２はＥｖ＿ａにＥｖ＿ｂの値を代入し、Ｓ７１２において所定の期間待機した上で、Ｓ７１３の判定に移行する。Ｓ７１３では、液晶表示点灯フラグが維持されているかを判定する。液晶表示点灯フラグが１である場合は、Ｓ７０５以降のシーケンスを繰り返す。液晶表示の消灯が選択された時、表示部１４２の表示は終了するが、液晶表示終了後も制御回路２０２は照度センサー出力を定期的にチェックしてＥｖ＿ａの値を更新する。
【００３７】
撮像装置１０１の電源がＯＦＦされると、同時に表示部１４２の自動輝度制御シーケンスも終了する（Ｓ７１５）。
【００３８】
図１〜４および図７に記載の制御方法を実施することで、より信頼性の高い照度センサー出力を選択することができる為、周囲の明るさの変化に忠実に対応した自動輝度変更が可能となる。
【００３９】
本実施形態では、指示手段が操作者から接触操作されている期間は、測光手段の出力を表示手段の明るさの制御に反映させない例を示した。しかし、本発明はこれに限らず、例えば指示手段が操作者から接触操作されている期間は、操作されていない期間に比べて測光手段の出力を表示手段の明るさの制御に反映させる度合いを低減させることによっても実現できる。
【００４０】
本発明の目的は以下のようにしても達成できる。すなわち、前述した各実施形態の機能を実現するための手順が記述されたソフトウェアのプログラムコードを記録した記憶媒体を、システムまたは装置に供給する。そしてそのシステムまたは装置のコンピュータ（またはＣＰＵ、ＭＰＵ等）が記憶媒体に格納されたプログラムコードを読み出して実行するのである。
【００４１】
この場合、記憶媒体から読み出されたプログラムコード自体が本発明の新規な機能を実現することになり、そのプログラムコードを記憶した記憶媒体およびプログラムは本発明を構成することになる。
【００４２】
また、プログラムコードを供給するための記憶媒体としては、例えば、フレキシブルディスク、ハードディスク、光ディスク、光磁気ディスクなどが挙げられる。また、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等も用いることができる。
【００４３】
また、コンピュータが読み出したプログラムコードを実行可能とすることにより、前述した各実施形態の機能が実現される。さらに、そのプログラムコードの指示に基づき、コンピュータ上で稼動しているＯＳ（オペレーティングシステム）等が実際の処理の一部または全部を行い、その処理によって前述した各実施形態の機能が実現される場合も含まれる。
【００４４】
更に、以下の場合も含まれる。まず記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う。
【符号の説明】
【００４５】
１０１  カメラ本体
１４２  表示部
１４２ａ  液晶パネル部
１４２ｂ  バックライト
１５１  レリーズボタン
１５２  操作部
１５３  操作部（ダイアル）
１６１  周囲光測光用照度センサー
２０２  制御回路
２０３  演算処理回路
２０４  記憶回路
２１１  シャッター・ミラー駆動回路
２１２  スイッチ回路
２１３  操作検出回路
２２１  電源回路
２２２  電源
【図１】
2011007939.tif 000003
【図２】
2011007939.tif 000004
【図３】
2011007939.tif 000005
【図４】
2011007939.tif 000006
【図５】
2011007939.tif 000007
【図６】
2011007939.tif 000008
【図７】
2011007939.tif 000009